(57)【特許請求の範囲】
【請求項１】
要介護者の身体全体を、傾斜する上面部で支持し、空気の注入により膨張して形成される中空で矩形状の傾斜ベッド部と、
前記傾斜ベッド部の外縁部全域に設けられて前記傾斜ベッド部の厚さ方向に延びて前記傾斜ベッド部を囲い、空気の注入により膨張して形成される中空の周壁部と、
前記傾斜ベッド部の前記上面部と、前記周壁部の内周面及び上側周縁とに亘る範囲を少なくとも覆って流水槽を形成するシートと、
前記傾斜ベッド部の前記上面部が傾斜する下側の位置にある前記周壁部の部分に設けられ、前記シートに設けられた孔に接続して、前記周壁部を通じて外側へと導かれる排水管と、を備え、
前記傾斜ベッド部の前記上面部が傾斜する下側の下端部と、当該下端部に対向する前記周壁部の内周面との間に溝が設けられ、前記シートにより前記流水槽を形成したときに前記シートの前記孔が前記溝の位置に配置される、介護用浴槽。
【請求項２】
前記周壁部は、前記傾斜ベッド部の外縁部の少なくとも一部と結合されている請求項１に記載の介護用浴槽。
【請求項３】
前記周壁部は、前記傾斜ベッド部の外縁部とは結合されておらず、分離可能な別体とされている請求項１に記載の介護用浴槽。
【請求項４】
前記排水管は、前記シートの前記孔に配された流入管と、前記流入管に着脱自在に接続されて、前記周壁部を通じて外側へと導かれる導出管とを有する、請求項１乃至請求項３のいずれかに記載の介護用浴槽。
【請求項５】
要介護者の身体全体を、傾斜する上面部で支持し、空気の注入により膨張して形成される中空で矩形状の傾斜ベッド部と、
前記傾斜ベッド部の外縁部全域に設けられて前記傾斜ベッド部の厚さ方向に延びて前記傾斜ベッド部を囲い、空気の注入により膨張して形成される中空の周壁部と、
前記傾斜ベッド部の前記上面部と、前記周壁部の内周面及び上側周縁とに亘る範囲を少なくとも覆って流水槽を形成するシートと、
前記傾斜ベッド部の前記上面部が傾斜する下側の位置にある前記周壁部の部分に設けられ、前記シートに設けられた孔に接続して、前記周壁部を通じて外側へと導かれる排水管と、を備え、
前記傾斜ベッド部は、前記傾斜ベッド部の長さ方向に延びて当該長さ方向と直交する幅方向に並設されて空気の注入による膨張で前記上面部を形成する複数の中空の縦長筒体と、前記各縦長筒体を傾斜させた状態で支持して空気の注入により膨張して形成される中空の傾斜支持部と、を備え、
前記各縦長筒体は、複数のグループに区分けされ、グループ毎に個別に膨張又は収縮する、介護用浴槽。
【請求項６】
請求項１乃至請求項５のいずれかに記載の介護用浴槽の使用方法であって、
前記介護用浴槽の前記周壁部及び前記傾斜ベッド部の空気を抜いて収縮させた状態で、前記シートを前記周壁部及び前記傾斜ベッド部に重ねて配置して、前記介護用浴槽を、寝た状態の要介護者の隣に配置するステップと、
前記要介護者を、前記シートが重ねて配置された前記傾斜ベッド部の上に移動させるステップと、
前記周壁部及び前記傾斜ベッド部に空気を注入して、前記周壁部及び前記傾斜ベッド部を膨張させて形成させ、膨張した前記周壁部及び前記傾斜ベッド部を前記シートで覆った前記流水槽を、前記要介護者を内部に入れた状態で形成するステップと、を有する介護用浴槽の使用方法。
【請求項７】
前記周壁部及び前記傾斜ベッド部の空気を抜いて収縮させ、前記シートが重ねて配置されて収縮した状態の前記傾斜ベッド部の上に前記要介護者を位置させるステップと、
前記シートが重ねて配置されて収縮した状態の前記傾斜ベッド部の上に位置する前記要介護者を、前記介護用浴槽の外側に移動させるステップと、
前記シートを前記周壁部及び前記傾斜ベッド部から取り外して除去するステップと、を
有する請求項６に記載の介護用浴槽の使用方法。
【請求項８】
要介護者の身体全体を、傾斜する上面部で支持し、空気の注入により膨張して形成される中空で矩形状の傾斜ベッド部と、
前記傾斜ベッド部の外縁部全域に設けられて前記傾斜ベッド部の厚さ方向に延びて前記傾斜ベッド部を囲い、空気の注入により膨張して形成される中空の周壁部と、
前記傾斜ベッド部の前記上面部と、前記周壁部の内周面及び上側周縁とに亘る範囲を少なくとも覆って流水槽を形成するシートと、
前記傾斜ベッド部の前記上面部が傾斜する下側の位置にある前記周壁部の部分に設けられ、前記シートに設けられた孔に接続して、前記周壁部を通じて外側へと導かれる排水管と、を備え、
前記周壁部は、前記傾斜ベッド部の外縁部とは結合されておらず、分離可能な別体とされている介護用浴槽の使用方法であって、
前記傾斜ベッド部を既設ベッドの上に配置し、前記傾斜ベッド部に空気を注入して、前記傾斜ベッド部を膨張させて形成させるステップと、
前記シートにより、前記傾斜ベッド部の前記上面部と、前記既設ベッドのフレームの内周面及び上側周縁とに亘る範囲を少なくとも覆って、流水槽を形成するステップと、を有する介護用浴槽の使用方法。
【請求項９】
要介護者の身体全体を傾斜させて支持する上側傾斜面を有する発泡合成樹脂製で矩形状の傾斜発泡マットと、
前記傾斜発泡マットの外縁部に設けられて、前記傾斜発泡マットの厚さ方向に延びて前記傾斜発泡マットを囲い、空気の注入により膨張して形成される中空の周壁部と、
前記傾斜発泡マットの底面から前記周壁部の内周面を経て該周壁部の上側周縁までの範囲を少なくとも覆って流水槽を形成するシートと、
前記傾斜発泡マットの前記上側傾斜面が傾斜する下側の位置となる前記周壁部の部分に設けられ、前記シートに設けられた孔に接続して、前記周壁部を通じて外側へと導かれる排水管と、を備える介護用浴槽。
【請求項１０】
前記傾斜発泡マットは、前記傾斜発泡マットの長さ方向と直交する幅方向に並設された２つの傾斜上層部を、前記傾斜発泡マットの一部として備える請求項９に記載の介護用浴槽。
【請求項１１】
前記傾斜発泡マットは、前記各傾斜上層部のうちの一方と交換される交換用の上層部を更に備え、
前記交換用の上層部は、前記傾斜発泡マットの前記幅方向における中央付近で前記長さ方向に延びて当該中央付近から前記幅方向に離れるに従って低くなる傾斜を有する幅方向傾斜面を有する請求項１０に記載の介護用浴槽。
【発明の詳細な説明】
【技術分野】
【０００１】
本発明は、高齢者、介護が必要な要介護者を寝たままで沐浴させるのに適した介護用浴槽及びその使用方法に関する。
【背景技術】
【０００２】
高齢者、病人などの要介護者を、沐浴のために浴室の浴槽まで運んで移動させることがある。この場合、複数の人手を必要とし、その労力が甚大である。このため、特許文献１には、エア式浴槽を収縮させた状態で、当該エア式浴槽を浴槽シーツで覆い、要介護者を浴槽シーツの上に移動させて乗せ、この後にエア式浴槽を膨張させて使用する介護用入浴ユニットが開示されている。このエア式浴槽には、浴槽シーツの底面から浴槽の外側まで配置された排水管が設けられている。
【０００３】
また、特許文献２には、防水のベッドカバーをベッドに被せ、病人をその上に寝かし、病人を沐浴させるときに、ベッドの四隅を引き上げて、ベッドカバーを浴槽形状に形成し、更にベッドの端部に入水管を設置した簡易沐浴装置が記載されている。
【０００４】
また、特許文献３には、乳児の頭部から少なくとも臀部までを支持する凹弧状の第１の支持面と、第１の支持面の頭部側の末端から延びた第２の支持面とを備え、第１の支持面により乳児の頭部から少なくとも臀部までを支持する第１の姿勢と、第２の支持面により乳児の頭部を支持しかつ第１の支持面により乳児の上半身及び臀部を支持する第２の姿勢とを選択的に実行する沐浴補助具が記載されている。
【０００５】
特許文献１、特許文献２、及び特許文献３に記載された技術はいずれも、介助者の負担を軽減させることを目的としている。
【先行技術文献】
【特許文献】
【０００６】
【特許文献１】特開２０１２−２３１８９２号公報
【特許文献２】実用新案登録３１２９８１７号公報
【特許文献３】実用新案登録３２１０８７３号公報
【発明の概要】
【発明が解決しようとする課題】
【０００７】
ここで、要介護者の沐浴を簡単かつ清潔に行うには、シャワーの利用が有効である。このため、シャワー浴に適した浴槽が望まれる。
【０００８】
しかしながら、特許文献１のエア式浴槽は、お湯を溜めるのに適した構造であるが、シャワー浴に適する、使用後の湯を速やかに流して排水させる構造が備えられていない。
【０００９】
また、特許文献２に記載されたベッドも、お湯を溜めるのに適した構造は採用されているが、使用後の湯を速やかに流して排水させる構造を備えていない。また、衛生上、沐浴の後でベッドカバーを交換するのが望ましいが、この交換が容易ではない。
【００１０】
また、特許文献３の沐浴補助具の場合は、シャワー浴が可能であると考えられるが、乳児用であり、大人の要介護者を運んで移動させるときに使い勝手が良くなる構造を提案するものではない。
【００１１】
本発明は、上記の事情に鑑みなされたものであり、使用後の湯を速やかに流して排水して要介護者を簡単かつ清潔にシャワー浴可能にすることを目的とする。
【課題を解決するための手段】
【００１２】
本発明の一局面に係る介護用浴槽は、要介護者の身体全体を、傾斜する上面部で支持し、空気の注入により膨張して形成される中空で矩形状の傾斜ベッド部と、前記傾斜ベッド部の外縁部全域に設けられて前記傾斜ベッド部の厚さ方向に延びて前記傾斜ベッド部を囲い、空気の注入により膨張して形成される中空の周壁部と、前記傾斜ベッド部の前記上面部と、前記周壁部の内周面及び上側周縁とに亘る範囲を少なくとも覆って流水槽を形成するシートと、前記傾斜ベッド部の前記上面部が傾斜する下側の位置にある前記周壁部の部分に設けられ、前記シートに設けられた孔に接続して、前記周壁部を通じて外側へと導かれる排水管と、を備える。
【００１３】
次に、本発明の一局面に係る上記介護用浴槽の使用方法は、前記介護用浴槽の周壁部及び傾斜ベッド部の空気を抜いて収縮させた状態で、前記シートを前記周壁部及び前記傾斜ベッド部に重ねて配置して、前記介護用浴槽を、寝た状態の要介護者の隣に配置するステップと、前記要介護者を、前記シートが重ねて配置された前記傾斜ベッド部の上に移動させるステップと、前記周壁部及び前記傾斜ベッド部に空気を注入して、前記周壁部及び前記傾斜ベッド部を膨張させて形成させ、膨張した前記周壁部及び前記傾斜ベッド部を前記シートで覆った前記流水槽を、前記要介護者を内部に入れた状態で形成するステップと、を有する。
【００１４】
次に、本発明の一局面に係る上記介護用浴槽の更なる使用方法は、前記周壁部が前記傾斜ベッド部の外縁部とは結合されておらず分離可能な別体とされている上記介護用浴槽の使用方法であって、前記傾斜ベッド部を既設ベッドの上に配置し、前記傾斜ベッド部に空気を注入して、前記傾斜ベッド部を膨張させて形成させるステップと、前記シートにより、前記傾斜ベッド部の前記上面部と、前記既設ベッドのフレームの内周面及び上側周縁とに亘る範囲を少なくとも覆って、流水槽を形成するステップと、を有する。
【００１５】
次に、本発明の更なる一局面に係る介護用浴槽は、要介護者の身体全体を傾斜させて支持する上側傾斜面を有する発泡合成樹脂製で矩形状の傾斜発泡マットと、前記傾斜発泡マットの外縁部に設けられて、前記傾斜発泡マットの厚さ方向に延びて前記傾斜発泡マットを囲い、空気の注入により膨張して形成される中空の周壁部と、前記傾斜発泡マットの底面から前記周壁部の内周面を経て該周壁部の上側周縁までの範囲を少なくとも覆って流水槽を形成するシートと、前記傾斜発泡マットの前記上側傾斜面が傾斜する下側の位置となる前記周壁部の部分に設けられ、前記シートに設けられた孔に接続して、前記周壁部を通じて外側へと導かれる排水管と、を備える。
【発明の効果】
【００１６】
本発明の介護用浴槽は、介護用浴槽をどこでも速やかに設置して、要介護者を簡単かつ清潔にシャワー浴させることができ、またシャワー浴に用いられた使用後の湯を、傾斜ベッド部の上面部に沿って流し、排水管を通じて介護用浴槽の外側に排水させることができる。
【図面の簡単な説明】
【００１７】
【図１】本発明の一実施形態にかかる介護用浴槽を示す斜視図である。
【図２】図１の介護用浴槽を、該介護用浴槽を覆うシートを省略して示す斜視図である。
【図３】図１の介護用浴槽を示す側面図である。
【図４】図１の介護用浴槽を側面から見て示す断面図である。
【図５】図１の介護用浴槽を示す背面図である。
【図６】図１の介護用浴槽を背面から見て示す断面図である。
【図７】（Ａ）（Ｂ）は、排水管を分解して示す斜視図及び側面図である。
【図８】（Ａ）（Ｂ）は、排水管を組み立てて示す斜視図及び側面図である。
【図９】図１の介護用浴槽の各部を空気の注入により膨張させて形成するための構成を示す図である。
【図１０】（Ａ）（Ｂ）は、図１の介護用浴槽を収縮させて平坦にした状態を示す側面図及び平面図である。
【図１１】（Ａ）（Ｂ）は、平坦な介護用浴槽をベッド上で要介護者の横に並べて配置した状態を示す背面図及び平面図である。
【図１２】（Ａ）（Ｂ）は、要介護者を平坦な介護用浴槽に移動させた状態を示す背面図及び平面図である。
【図１３】（Ａ）（Ｂ）は、図１の介護用浴槽を膨張させて形成し、要介護者を介護用浴槽に入れた状態を示す背面図及び平面図である。
【図１４】介護用浴槽、ベッド、及び該ベッドに並設された補助台を示す背面図である。
【図１５】図１の介護用浴槽の内側で要介護者に対してシャワー浴を実施している様子を側方から見て示す図である。
【図１６】（Ａ）（Ｂ）（Ｃ）は、図１の介護用浴槽の内側要介護者に対してシャワー浴を実施している様子を背面から見て示す図である。
【図１７】シャワーに湯を導くホース及びコードヒーターが通されたパイプを示す断面図である。
【図１８】本発明の更なる実施形態にかかる介護用浴槽を示す斜視図である。
【図１９】図１８に示す介護用浴槽を側面から見て示す断面図である。
【図２０】（Ａ）（Ｂ）は、図１８に示す介護用浴槽における傾斜発泡マットを分解して示す斜視図及び組み立てて示す斜視図である。
【図２１】図１８に示す介護用浴槽の内側でシャワー浴が実施されている要介護者を側方から見て示す図である。
【図２２】図１８に示す介護用浴槽の内側でシャワー浴が実施されている要介護者を背面から見て示す図である。
【図２３】は、傾斜発泡マットにおける２枚の交換用の上層部を分解して示す斜視図である。
【図２４】（Ａ）（Ｂ）は、交換用の上層部が適用された介護用浴槽の内側でシャワー浴が実施されている要介護者を背面から見て示す図である。
【図２５】図１の介護用浴槽の傾斜ベッド部及びシートなどが適用される既設のベッドを例示する斜視図である。
【図２６】図２５の傾斜ベッド部を既設のベッドの上に配した状態を示す斜視図である。
【図２７】シートにより傾斜ベッド部及び既設のベッドを覆って、流水槽を形成した状態を示す斜視図である。
【図２８】図２７の流水槽の内側で要介護者に対してシャワー浴を実施している様子を側方から見て示す図である。
【発明を実施するための形態】
【００１８】
以下、本発明の実施形態について図面を参照して説明する。
＜本発明の実施形態＞
図１は、本発明の一実施形態に係る介護用浴槽を示す斜視図である。また、図２は、本発明の一実施形態に係る介護用浴槽を、当該介護用浴槽を覆うシートを省略して示す斜視図である。図３は、本発明の一実施形態に係る介護用浴槽を示す側面図である。図４は、本発明の一実施形態に係る介護用浴槽を側面から見て示す断面図である。図５は、本発明の一実施形態に係る介護用浴槽を示す背面図である。図６は、本発明の一実施形態に係る介護用浴槽を背面から見て示す断面図である。
【００１９】
図１乃至図６は、空気の注入により膨張して既に浴槽の形状となった状態の介護用浴槽１を示している。図１乃至図６に示すように、介護用浴槽１は、要介護者が寝る傾斜ベッド部２と、傾斜ベッド部２の外縁部の全域に設けられて傾斜ベッド部２を囲む周壁部３と、傾斜ベッド部２の上面部と周壁部３の内周面及び上側周縁とに亘る範囲を覆うシート４と、傾斜ベッド部２の上面部２１０が傾斜する下方の位置となる周壁部３に設けられ、シート４に設けられた孔に接続して周壁部３を通じて外側へと導かれた排水管５と、を備えている。図１において、シート４は破線により示す。傾斜ベッド部２の上面部２１０は傾斜を有している。排水管５は、傾斜している上面部２１０の最下部付近に設けられる。
【００２０】
周壁部３は、介護用浴槽１の周壁を形成する。周壁部３は、複数の枠状筒体３ａを上下方向に重ねて互いに連結されている。各枠状筒体３ａは、上方からの平面視で、図２に示すように、矩形の枠状の形態を有する。周壁部３は、傾斜ベッド部２の厚さ方向（図３において上下方向）に延びて傾斜ベッド部２を囲う。各枠状筒体３ａは、図６に示すようにその断面は、内部に空気の注入がされる円筒状の中空である。各枠状筒体３ａは、合成樹脂などの可撓性のシート状の材料から形成される。各枠状筒体３ａは、互いに空気循環可能に繋がっている。周壁部３は、後で述べるようにエアーポンプにより空気が、空気注入口が設けられた枠状筒体３ａ（周壁部３をなす複数の枠状筒体３ａのうちの１つ）の内部に注入されると、注入された空気が各枠状筒体３ａに行き亘って全ての枠状筒体３ａが膨張して、周壁部３の外形を壁状に形成する。この空気注入により各枠状筒体３ａは高さ方向への大きさが特に増加する。また、周壁部３をなす複数の枠状筒体３ａのうちの１つには、空気を抜くための排気栓（図示せず）が設けられている。この排気栓の開放により、全ての枠状筒体３ａの内部の空気が抜かれると萎み、全ての枠状筒体３ａ（周壁部３）が平坦になる。
【００２１】
傾斜ベッド部２の外縁部は、その四方全域において、周壁部３の内周部分に接している。ここで、傾斜ベッド部２及び周壁部３の構成は、(1)周壁部３は、傾斜ベッド部２の外縁部の全域又は少なくとも一部と結合されている、(2)周壁部３は、傾斜ベッド部２の外縁部とは結合されておらず、傾斜ベッド部２及び周壁部３は互いに分離可能な別体とされている、のいずれかを採り得る。本実施形態では、傾斜ベッド部２及び周壁部３は互いに分離可能な別体とされているものとする。
【００２２】
傾斜ベッド部２は、ベースマット部１１、傾斜支持部１２、傾斜マット部１３、及び上層マット部１４を順次積み重ねて構成される。
【００２３】
ベースマット部１１は、傾斜ベッド部２の長さ方向（以下、縦方向ともいう）に延びる複数の縦長筒体１１ａが、当該縦方向と直交する幅方向（以下、横方向ともいう）に並設され、互いに接着されてなる。各縦長筒体１１ａは、図６に示すようにそれらの断面は円筒状の中空状である。各縦長筒体１１ａは、合成樹脂などの可撓性のシート材料からなる。複数の縦長筒体１１ａは、空気循環可能に繋がっている。各縦長筒体１１ａは、後で述べるようにエアーポンプにより空気が縦長筒体１１ａの１つの内部に注入されると、全ての縦長筒体１１ａが膨張して、ベースマット部１１の外形を板状に形成する。また、複数の縦長筒体１１ａの１つには、空気を抜くための排気栓（図示せず）が設けられている。この排気栓の開放により、全ての縦長筒体１１ａの内部の空気が抜かれて萎むと、各縦長筒体１１ａが平坦になる。
【００２４】
また、ベースマット部１１の１つの端部であって、上面部２１０が傾斜する下方の位置となる端部であって、周壁部３に対向する端部には、幅方向の隅部に切り欠き部１１ｂが形成されている。すなわち、この切り欠き部１１ｂには、縦長筒体１１ａが存在しない。切り欠き部１１ｂに対向する周壁部３の枠状筒体３ａ部分に排水管５が設けられている。
【００２５】
傾斜マット部１３は、傾斜支持部１２の上に設けられている。傾斜マット部１３は、縦方向の一端側を上にして傾斜している。傾斜マット部１３は、傾斜方向上側となる上端縁部と、両側端の縁部は周壁部３の内周に密着している。一方、傾斜マット部１３の傾斜方向下側となる下端と周壁部３との間は離間している。この離間部分には、図３に示すように、傾斜ベッド部２ではベースマット部１１のみが設けられている。傾斜マット部１３は、傾斜ベッド部２の縦方向に延びる複数の縦長筒体１３ａが、当該縦方向と直交する幅方向（以下、横方向という）に並設され、互いに接着されてなる。各縦長筒体１３ａは、図６に示すようにそれらの断面は円筒状の中空状である。各縦長筒体１３ａは、合成樹脂などの可撓性のシート材料からなる。これら複数の縦長筒体１３ａは、空気循環可能に繋がっている。各縦長筒体１３ａは、後で述べるようにエアーポンプにより空気が縦長筒体１３ａの１つの内部に注入されると、全ての縦長筒体１３ａが膨張して、傾斜マット部１３の外形を板状に形成する。また、複数の縦長筒体１３ａの１つには、空気を抜くための排気栓（図示せず）が設けられている。この排気栓の開放により、各縦長筒体１３ａの内部の空気が抜かれて萎むと、全ての縦長筒体１３ａが平坦になる。
【００２６】
上層マット部１４は、その傾斜方向上側の上端と両側端とが周壁部３の内周側部分に密接している。また、上層マット部１４は、その傾斜方向下側の下端が周壁部３から離間し、上層マット部１４の下側に重なる傾斜マット部１３と同一の幅及び長さを有している。上層マット部１４は、傾斜ベッド部２の縦方向に延びる例えば５本の縦長筒体１４ａを該縦方向と直交する横方向に並設して互いに結合されてなる。各縦長筒体１４ａは、それらの断面が円筒状の中空とされている。各縦長筒体１４ａは、合成樹脂などの可撓性のシート材料からなる。
【００２７】
各縦長筒体１４ａは、予め定められた複数の縦長筒体１４ａ毎に別のグループに分けられている。各縦長筒体１４ａは、例えば、横方向において図５で右端の１つ目から２つ目までのグループと、左端の１つ目から２つ目までのグループとに分けられている。なお、横方向において中央の縦長筒体１４ａはこれら２つのグループとは異なる更なるグループとされる。各グループを構成する複数の縦長筒体１４ａは、グループ内で空気循環可能に繋がっている。グループが異なる縦長筒体１４ａ同士は、空気循環しない状態で繋がっている。各縦長筒体１４ａは、後で述べるようにエアーポンプにより空気が縦長筒体１４ａ（グループを構成する縦長筒体１４ａのうちの１つ）の内部に注入されると、グループを構成する各縦長筒体１４ａが膨張して、上層マット部１４の外形を板状に形成する。また、グループを構成する各縦長筒体１４ａの１つには、空気を抜くための排気バルブ（図９参照）が設けられている。この排気バルブのグループ別の開放により、各縦長筒体１４ａの内部の空気が抜かれて萎むと、各縦長筒体１４ａがグループ毎に平坦になる。
【００２８】
傾斜支持部１２は、高さ方向においてベースマット部１１と傾斜マット部１３の間に設けられて、傾斜マット部１３及び上層マット部１４を水平方向に対して傾斜させて支持する。傾斜支持部１２は、傾斜ベッド部２の縦方向と直交する横方向に延びる複数の横長筒体１２ａが、該縦方向に並設されてなる。内部に空気が充填された各横長筒体１２ａの外径は異なり、傾斜マット部１３の傾斜方向上側の上端に最も近い横長筒体１２ａの外径が最も大きく、その傾斜方向の下側になるほど横長筒体１２ａの外径が徐々に小さくされている。これらの外径が異なる各横長筒体１２ａにより傾斜マット部１３及び上層マット部１４が傾斜されて支持される。各横長筒体１２ａは、それらの断面が円筒状の中空である。各横長筒体１２ａは、合成樹脂などの可撓性のシート材料からなる。
【００２９】
複数の横長筒体１２ａは、空気循環可能に繋がっている。エアーポンプにより空気が複数の横長筒体１２ａのうちの１つの内部に注入されると、全ての横長筒体１２ａが膨張して、傾斜支持部１２の外形を板状に形成する。また、複数の傾斜支持部１２ａの１つには、空気を抜くための排気栓（図示せず）が設けられている。この排気栓の開放により、全ての傾斜支持部１２の内部の空気が抜かれて萎むと、全ての傾斜支持部１２が平坦になる。
【００３０】
シート４は、例えば薄手の合成樹脂シートである。シート４は、傾斜ベッド部２の上側傾斜面及び周壁部３の内周面を覆い、更に、周壁部３の上側周縁まで及ぶ範囲を少なくとも覆う。このようにシート４が介護用浴槽１を覆うと、シート４によって介護用浴槽１の内側に流水槽が形成される。シート４は、傾斜ベッド部２及び周壁部３に対して着脱自在である。
【００３１】
先に述べたように傾斜マット部１３の下端及び上層マット部１４の下端は、周壁部３から離間している（図３参照）。これにより、傾斜マット部１３の下端、上層マット部１４の下端、及び傾斜支持部１２の下端と、周壁部３との間に溝１５が形成されている。
【００３２】
シート４には孔４ａ（後述の図７（Ｂ）及び図８（Ｂ）に示す）が形成されている。介護者は、シート４により傾斜ベッド部２の上側傾斜面及び周壁部３の内周面を覆って流水槽を形成するとき、シート４の孔４ａが溝１５に位置するベースマット部１１の切り欠き部１１ｂに重なるように、シート４の孔４ａを位置させる。すなわち、シート４の孔４ａは、シート４により介護用浴槽１の内側を覆って流水槽を形成したときに、切り欠き部１１ｂの位置となるシート４部分に設けられている。
【００３３】
図７（Ａ）（Ｂ）及び図８（Ａ）（Ｂ）に示すように排水管５は、流入管５１０及び導出管５２０を備えている。流入管５１０は、鍔部５ｃと管部５ｄを有している。導出管５２０は、縦管部５ｅと横管部５ｆがＬ字型に接続されてなる。排水管５は、流入管５１０の管部５ｄが導出管５２０の上側の孔５２１に挿入されて構成される。
【００３４】
流入管５１０は、その管部５ｄがシート４の孔４ａに嵌入されて、その鍔部５ｃがシート４に密着又は接着されることによりシート４の孔４ａに水漏れなく予め設けられている。また、導出管５２０は、その横管部５ｆが、周壁部３の最下段の枠状筒体３ａに設けられた孔３ｂに嵌入されて密着又は接着されることにより、枠状筒体３ａの孔３ｂに水漏れなく予め設けられている。
【００３５】
先に述べたようにシート４により介護用浴槽１の内側を覆って、流水槽を形成した状態では、シート４の孔４ａは、溝１５の底におけるベースマット部１１の切り欠き部１１ｂの位置となる。また、周壁部３の孔３ｂは、当該切り欠き部１１ｂの位置に設けられている。このため、導出管５２０は、ベースマット部１１の切り欠き部１１ｂに位置することになる。ここで、孔５２１を上方に向けて導出管５２０は、周壁部３の孔３ｂに取り付けられる。これにより、介護者は、シート４の孔４ａに設けられた流入管５１０の管部５ｄを導出管５２０の上側の孔５２１に差し込んで、排水管５を容易に組み立てることができる。
【００３６】
図９は、周壁部３、傾斜ベッド部２のベースマット部１１、傾斜支持部１２、傾斜マット部１３、及び上層マット部１４を、空気の注入により膨張させて形成するための構成を示している。エアーポンプ２１は、電動モーターを動力源とするポンプであって、空気を圧送する。エアーポンプ２１から圧送された空気は、手動の注入バルブ２２が開かれたときに、注入バルブ２２及び合成樹脂製の導管２３を通じて周壁部３の各枠状筒体３ａに注入され、全ての枠状筒体３ａを膨張させて、周壁部３を形成する。この後、注入バルブ２２を閉じて、空気の注入を停止させ、周壁部３の外形を保持させる。
【００３７】
また、エアーポンプ２１から圧送された空気は、手動の注入バルブ２４が開かれたときに、注入バルブ２４及び合成樹脂製の導管２５を通じてベースマット部１１の各縦長筒体１１ａ及び傾斜マット部１３の各縦長筒体１３ａに注入され、全ての縦長筒体１１ａ及び全ての縦長筒体１３ａを膨張させて、ベースマット部１１及び傾斜マット部１３を形成する。この後、注入バルブ２４を閉じて、空気の注入を停止させ、ベースマット部１１及び傾斜マット部１３の外形を保持させる。
【００３８】
また、エアーポンプ２１から圧送された空気は、手動の注入バルブ２６が開かれたときに、注入バルブ２６及び合成樹脂製の導管２７を通じて傾斜支持部１２の各横長筒体１２ａに注入され、全ての横長筒体１２ａを膨張させて形成する。この後、注入バルブ２６を閉じて、空気の注入を停止させ、各横長筒体１２ａの外形を保持させる。
【００３９】
また、エアーポンプ２１から圧送された空気は、手動の注入バルブ２８が開かれたときに、注入バルブ２８及び合成樹脂製の導管２９を通じて、上層マット部１４の上記横方向における中央の１本の縦長筒体１４ａからなるグループに注入され、中央の１本の縦長筒体１４ａを膨張させて形成する。この後、注入バルブ２８を閉じて、空気の注入を停止させて、中央の１本の縦長筒体１４ａの外形を保持させる。
【００４０】
また、エアーポンプ２１から圧送された空気は、手動の注入バルブ３１が開かれたときに、注入バルブ３１及び合成樹脂製の導管３２を通じて上層マット部１４の上記横方向における左側２本の縦長筒体１４ａからなるグループに注入され、左側２本の縦長筒体１４ａを膨張させて形成する。この後、注入バルブ３１を閉じて、空気の注入を停止させ、左側２本の縦長筒体１４ａの外形を保持させる。
【００４１】
また、エアーポンプ２１から圧送された空気は、手動の注入バルブ３３が開かれたときに、注入バルブ３３及び合成樹脂製の導管３４を通じて上、上層マット部１４の上記横方向における右側２本の縦長筒体１４ａからなるグループに注入され、右側２本の縦長筒体１４ａを膨張させて形成する。この後、注入バルブ３３を閉じて、空気の注入を停止させ、右側２本の縦長筒体１４ａの外形を保持させる。
【００４２】
更に、上層マット部１４の左側２本の縦長筒体１４ａには、手動の排気バルブ３５が接続されている。上層マット部１４の右側２本の縦長筒体１４ａには、手動の排気バルブ３６が接続されている。左側２本の縦長筒体１４ａを膨張させるときには、各排気バルブ３５を閉じて、左側２本の縦長筒体１４ａの空気がそれぞれの排気バルブ３５を通じて排出されないようにする。また、右側２本の縦長筒体１４ａを膨張させるときには、各排気バルブ３６を閉じて、右側２本の縦長筒体１４ａの空気が排気バルブ３６を通じて排出されないようにする。
【００４３】
また、左側２本の縦長筒体１４ａが膨張されて形成され、注入バルブ３１が閉じられている状態で、排気バルブ３５を開くと、左側２本の縦長筒体１４ａの空気が排気バルブ３５を通じて排出され、左側２本の縦長筒体１４ａが収縮する。この後、排気バルブ３５を閉じて、エアーポンプ２１を作動させた状態で注入バルブ３１を開くと、空気が注入バルブ３１を通じて上層マット部１４の左側２本の縦長筒体１４ａに注入され、左側２本の縦長筒体１４ａが再度膨張して形成される。従って、注入バルブ３１と排気バルブ３５の開閉操作により左側２本の縦長筒体１４ａを膨張させたり収縮させたりすることができる。
【００４４】
同様に、右側２本の縦長筒体１４ａが膨張されて形成され、注入バルブ３３が閉じられている状態で、排気バルブ３６を開くと、右側２本の縦長筒体１４ａの空気が排気バルブ３６を通じて排出され、右側２本の縦長筒体１４ａが収縮する。この後、排気バルブ３６を閉じて、エアーポンプ２１を作動させた状態で注入バルブ３３を開くと、空気が注入バルブ３３を通じて上層マット部１４の右側２本の縦長筒体１４ａに注入され、右側２本の縦長筒体１４ａが再度膨張して形成される。従って、注入バルブ３３と排気バルブ３６の開閉操作により右側２本の縦長筒体１４ａを膨張させたり収縮させたりすることができる。
【００４５】
次に、本実施形態の介護用浴槽１の使用方法を、図１０乃至図１５を参照して説明する。
【００４６】
図１０（Ａ）（Ｂ）は、介護用浴槽１を収縮させて平坦にした状態を示す側面図及び平面図である。また、図１１（Ａ）（Ｂ）は、平坦な介護用浴槽１をベッド上で要介護者の横に並べて配置した状態を示す背面図及び平面図である。また、図１２（Ａ）（Ｂ）は、要介護者を平坦な介護用浴槽１上に移動させた状態を示す背面図及び平面図である。また、図１３（Ａ）（Ｂ）は、要介護者を乗せた介護用浴槽１を膨張させて形成し、要介護者が内側に位置する状態の介護用浴槽１を示す背面図及び平面図である。また、図１４は、介護用浴槽１、ベッド、及び該ベッドに並設された補助台を示す背面図である。また、図１５は、介護用浴槽１の内側でシャワー浴中の要介護者を側方から見て示す図である。図１６（Ａ）〜（Ｃ）は、介護用浴槽１の内側でシャワー浴中の要介護者を背面から見て示す図である。
【００４７】
まず、図１０（Ａ）（Ｂ）に示すように介護用浴槽１の周壁部３の各枠状筒体３ａ、ベースマット部１１の各縦長筒体１１ａ、傾斜支持部１２の各横長筒体１２ａ、傾斜マット部１３の各縦長筒体１３ａ、及び上層マット部１４の各縦長筒体１４ａを、それぞれの排気栓及び排気バルブを通じて空気を抜くことにより平坦にし、この後に各排気栓及び排気バルブを閉めておく。そして、平坦な状態の介護用浴槽１を防水マット６の上に配置して、シート４を介護用浴槽１の上に重ねる。また、シート４に設けられた流入管５１０の管部５ｄを、周壁部３に設けられた導出管５２０の縦管部５ｅの孔に差し込んで、排水管５を組み立てる。
【００４８】
続いて、図１１（Ａ）（Ｂ）に示すように、平坦な介護用浴槽１及び防水マット６を既存のベッド４０上で、仰向けの要介護者４１の横に並べて配置する。このとき、ベッド４０からはみ出すシート４の部分は、ベッド４０の周縁から垂れ下げておく。また、図１１（Ａ）（Ｂ）では図略であるが、図９に示した各導管２３、２５、２７、２９、３２、３４をエアーポンプ２１に接続する。
【００４９】
そして、図１２（Ａ）（Ｂ）に示すように、要介護者４１を仰向けで、介護用浴槽１の上記横方向における中央、すなわち、周壁部３で囲まれた内部領域に移動させて、要介護者４１をシート４の上に仰向けに寝かせる。
【００５０】
次に最初にエアーポンプ２１を作動させた状態で手動の注入バルブ２２を開いて、周壁部３の各枠状筒体３ａを膨張させて、周壁部３を形成し、エアーポンプ２１を停止させて注入バルブ２２を閉じ、周壁部３の外形を保持させる。
【００５１】
続いて、エアーポンプ２１を作動させた状態で手動の注入バルブ２４を開いて、エアーポンプ２１から供給される空気を流入させる。これにより、ベースマット部１１の各縦長筒体１１ａ及び傾斜マット部１３の各縦長筒体１３ａを膨張させて、ベースマット部１１及び傾斜マット部１３を形成させる。この後、エアーポンプ２１を停止させて注入バルブ２４を閉じて、ベースマット部１１及び傾斜マット部１３の外形を保持させる。
【００５２】
そして、エアーポンプ２１を作動させた状態で手動の注入バルブ２６を開いて、エアーポンプ２１から供給される空気を傾斜支持部１２の各横長筒体１２ａに流入させる。これにより、傾斜支持部１２の各横長筒体１２ａを膨張させて形成する。この後、エアーポンプ２１を停止させて注入バルブ２６を閉じて、各横長筒体１２ａの外形を保持させる。この膨張した各横長筒体１２ａにより、傾斜マット部１３及び上層マット部１４が周壁部３の内側で傾斜する。
【００５３】
更に、エアーポンプ２１を作動させた状態で手動の各注入バルブ２８、３１、３３を開いて、上層マット部１４の５本の縦長筒体１４ａを膨張させて、上層マット部１４を形成する。この後、各注入バルブ２８、３１、３３を閉じて、上層マット部１４の外形を保持させる。これにより、図１３（Ａ）（Ｂ）に示すように、空気の注入により介護用浴槽１が膨張により浴槽の形状に完成する。このとき、周壁部３で囲まれた内部領域に位置する要介護者４１は介護用浴槽１の内側に入る。要介護者４１は、シート４を介して、傾斜する上層マット部１４の上に仰向けで寝ることとなる。
【００５４】
この状態では、上層マット部１４の上にシート４を介して要介護者４１が寝ていることになる。各注入バルブ２８、３１、３３の操作により、上層マット部１４の各縦長筒体１４ａに注入される空気の量を調節して、上層マット部１４を適宜の硬さに調整する。
【００５５】
最後に、要介護者がその上に寝ている状態のシート４を、上層マット部１４の傾斜面、溝１５、及び周壁部３の周面を覆った状態としつつ、シート４の四辺の端部を周壁部３の上側周縁から垂れ下げるようにすることで、シート４により介護用浴槽１の内側を覆って、水漏れのない流水槽を完成させる。
【００５６】
このように周壁部３、ベースマット部１１及び傾斜マット部１３、上層マット部１４、傾斜支持部１２を順次膨張させて形成すると、介護用浴槽１を安定的に形成することができ、要介護者４１に不安を与えずに済む。なお、周壁部３、ベースマット部１１及び傾斜マット部１３、上層マット部１４、傾斜支持部１２に空気を注入して膨張させる順番は上記に限定されず、適宜変更が可能である。
【００５７】
また、ホース４２の一端を、周壁部３から突出している排水管５に接続し、このホース４２の他端を排水用ポリタンク４３の内側に導いておく。
【００５８】
尚、ベッド４０の幅が不足する場合は、図１４に示すようにベッド４０と同一の高さの補助台４５を該ベッド４０に並べて、介護用浴槽１、要介護者４１などの配置スペースを確保する。
【００５９】
次に、図１５及び図１６（Ａ）に示すようにシャワー４４を用いて、要介護者４１をシャワー浴させる。このとき、要介護者の頭を、傾斜する傾斜ベッド部２の傾斜方向上部側にする。すなわち、先に説明した、平坦な介護用浴槽１及び防水マット６を既存のベッド４０上で仰向けの要介護者４１の横に並べて配置するときに、要介護者の頭側に、傾斜ベッド部２の傾斜方向上部側がくるように、平坦な介護用浴槽１及び防水マット６を配置しておく。そして、このように配置された平坦な介護用浴槽１及び防水マット６の上に要介護者を移動させる。
【００６０】
シャワー浴に使用した湯は、シート４上で上層マット部１４の傾斜面に沿って下方の溝１５へと流れ、更に、シート４の孔４ａに嵌められている排水管５から介護用浴槽１外に排水され、ホース４２を通じて排水用ポリタンク４３に導かれて溜められる。
【００６１】
シャワー４４に湯を導くホースとしては、図１７に示すような断面構造のものが好ましい。図１７に示すようにホース４２を、パイプ４７の内部に配置し、パイプ４７内でホース４２の外周をコードヒーター４６により覆う。これにより、コードヒーター４６による加温で、ホース４２内を流れる湯を保温して、湯の温度低下を防止する。
【００６２】
要介護者４１にシャワー浴をさせる際における上層マット部１４の形状を説明する。要介護者４１にシャワー浴をさせる際には、上記左側２本の縦長筒体１４ａ及び上記右側２本の縦長筒体１４ａの両方を膨張させて上層マット部１４の上面に平面にした状態でシャワー浴を実施する。
【００６３】
更に、エアーポンプ２１を停止させて排気バルブ３５を開き、左側２本の縦長筒体１４ａの空気を、排気バルブ３５を通じて排出させ、左側２本の縦長筒体１４ａを収縮させる。これにより、図１６（Ｂ）に示すように、要介護者４１の身体の左片側が下がって、要介護者４１の身体が回転し、要介護者４１の右側の背中などが露呈する。このため、要介護者４１の右側の背中などを洗うことが可能となる。
【００６４】
この後、排気バルブ３５を閉じて、エアーポンプ２１を作動させた状態で注入バルブ３１を開くと、空気が注入バルブ３１を通じて上層マット部１４の左側２本の縦長筒体１４ａに注入され、左側２本の縦長筒体１４ａが膨張して形成され、図１６（Ａ）に示す元の状態に戻る。
【００６５】
また、排気バルブ３６を開いて、右側２本の縦長筒体１４ａの空気を、排気バルブ３６を通じて排出させ、右側２本の縦長筒体１４ａを収縮させる。これにより、図１６（Ｃ）に示すように要介護者４１の身体の右片側が下がって、要介護者４１の身体が回転し、要介護者４１の左側の背中などが露呈する。このため、要介護者４１の左側の背中などを洗うことが可能となる。この後、排気バルブ３６を閉じて、エアーポンプ２１を作動させた状態で注入バルブ３３を開くと、空気が注入バルブ３３を通じて上層マット部１４の右側２本の縦長筒体１４ａに注入され、右側２本の縦長筒体１４ａが膨張して形成され、図１６（Ａ）に示す元の状態に戻る。
【００６６】
この後、要介護者４１のシャワー浴が終了し、介護用浴槽１を片付ける場合には、シート４により形成された流水槽からシャワー浴に使用した湯が排水されて排水用ポリタンク４３に収容されているのを確認した上で、排水管５からホース４２を外して、排水用ポリタンク４３を移動させる。
【００６７】
そして、傾斜支持部１２、上層マット部１４、ベースマット部１１及び傾斜マット部１３、及び周壁部３をそれぞれの排気栓又は排気バルブを開くことにより順次収縮させる。例えば、傾斜支持部１２、上層マット部１４、ベースマット部１１及び傾斜マット部１３、及び周壁部３を膨張させて介護用浴槽１を設置したときとは逆の手順で、該各部を収縮させる。これにより、図１２（Ａ）、（Ｂ）に示すように要介護者４１が介護用浴槽１の中央でシート４の上に仰向けに寝た状態に戻る。
【００６８】
この後、要介護者４１を移動させて、図１１（Ａ）（Ｂ）に示すように、ベッド４０上で、平坦な介護用浴槽１から外れた位置に要介護者４１を移動させる。
【００６９】
そして、シート４の孔に設けられた流入管５１０を導出管５２０から外して、シート４を除去する。シャワー浴のときには、シート４が汚れても、シート４により覆われている周壁部３及び上層マット部１４などが汚れることはない。このため、周壁部３及び上層マット部１４などを清掃しなくても、シート４を新しいものに交換すれば、介護用浴槽１を次の別の要介護者のシャワー浴のために使用することができる。
【００７０】
最後に、シート４を外した収縮した状態の平坦な介護用浴槽１をベッド４０上から除去する。
【００７１】
本実施形態の介護用浴槽１は、収縮させることができるので、既存のベッド４０の上に簡単に設置することができ、更に、収縮して平坦な状態の介護用浴槽１上に要介護者４１を容易に移動させることができる。更に、膨張による浴槽の完成は、要介護者４１を介護用浴槽１上に移動させた後でよいので、完成された浴槽の中に要介護者４１を入れるために要介護者４１を持ち上げる作業が不要である。このように、本実施形態の介護用浴槽１は、ベッド４０の上で浴槽の設置、シャワー浴、及び要介護者４１の移動が全て完結するため、要介護者４１を浴室の浴槽まで移動させる等の作業が必要ではない。従って、介護用浴槽１によれば、介護者を簡単かつ清潔にシャワー浴させることができる。
【００７２】
また、シート４により水漏れのない流水槽を形成し、この流水槽の下側に傾斜ベッド部２が配置されるので、要介護者４１を傾斜ベッド部２の上側傾斜面に寝かせてシャワー浴させているときに、シート４上で、シャワー浴に使用した後の湯が上側傾斜面を流れ落ちて、傾斜マット部１３の下端及び上層マット部１４の下端と周壁部３との間に溝１５まで円滑に案内される。この溝１５には排水管５を設けているので、シャワー浴に使用した後の湯が、シート４の孔４ａに取り付けられた排水管５を通じて確実に排水される。更に、シャワー浴後はシート４を取り替えれば、シート４以外の介護用浴槽１の浴槽部分を洗浄しなくても、当該浴槽部分を清潔に保つことが可能である。
【００７３】
なお、上記実施形態では、上層マット部１４として５本の縦長筒体１４ａを横方向に並べたものを例示しているが、２本〜４本又は６本以上の縦長筒体１４ａを横方向に並べたものであってもよい。左側又は右側の１乃至複数の縦長筒体１４ａを収縮させる構造を採ることにより、要介護者４１の身体を回転させることが可能である。
【００７４】
また、複数の縦長筒体１４ａをそれぞれ個別に収縮させるようにしてもよい。例えば、６本の縦長筒体１４ａを横方向に並べて、各縦長筒体１４ａをそれぞれ選択的にかつ個別に収縮させれば、上層マット部１４の上で要介護者の姿勢を様々に変化させて、要介護者の身体を丁寧に洗うことができる。
【００７５】
また、シート４を面ファスナー（マジックテープ（登録商標）など）などで介護用浴槽１の周壁部３に固定してもよい。また、介護用浴槽１とベッド４０の間に滑り止めシートなどを挟み込んで、介護用浴槽１の位置ずれを防止しても構わない。
＜本実施形態の介護用浴槽１の使用方法の応用例＞
この応用例では、本実施形態の介護用浴槽１の傾斜ベッド部２及びシート４を既設のベッド（例えば病院又は介護施設のベッド）に適用して、この既設のベッドの上に流水槽を形成する。尚、傾斜ベッド部２は、上述したように、周壁部３の内周に接着されておらず、傾斜ベッド部２及び周壁部３は分離可能な別体とされている。傾斜ベッド部２は、マジックテープなどで周壁部３の内周に着脱自在に接続されていてもよい。ここでは、傾斜ベッド部２のみを周壁部３から取り外して利用する。
【００７６】
既設のベッドとしては、図２５に示すようなベッド７１が望ましい。この図２５に示すベッド７１は、矩形状のベッド本体７２、ベッド本体７２の頭部側の一端に突設されたヘッドボード７３、ベッド本体７２の足部側の他端に突設されたフッドボード７４、ベッド本体７２の両側端に突設された各サイドレール７５を備えている。
【００７７】
介護用浴槽１は、例えば、防水マット６（図２８に示す）を敷いたベッド７１上に、要介護者が既に寝ている状態で使用する。この状態で、防水マット６（ベッド７１）上において介護者の横に、空気を入れていない萎んだ状態の傾斜ベッド部２を配置する。更に、この平坦な状態の傾斜ベッド部２の全域を覆って傾斜ベッド部２上にシート４を重ねる。そして、シート４の端部側であって、要介護者が寝ている側とは反対側の端部側を、ベッド７１のヘッドボード７３、フットボード４、及び要介護者が寝ている側とは反対側のサイドレール７５のそれぞれの内周面及び上側周縁とに亘る範囲を覆い、シート４の当該端部側をベッド７１のヘッドボード７３、フットボード４、及びサイドレール７５のそれぞれに繋ぎ止めておく。
【００７８】
続いて、シート４を被せた傾斜ベッド部２の上に要介護者を移動させる。そして、シート４の端部側であって、要介護者が寝ている側の端部側を、ベッド７１のヘッドボード７３、フットボード４、及び要介護者が寝ている側のサイドレール７５のそれぞれの内周面及び上側周縁とに亘る範囲を覆い、シート４の当該端部側をベッド７１のヘッドボード７３、フットボード４、及びサイドレール７５のそれぞれに繋ぎ止めておく。
【００７９】
この状態で、傾斜ベッド部２のベースマット部１１、傾斜支持部１２、傾斜マット部１３、及び上層マット部１４を、空気の注入により膨張させて形成する。これにより、ベッド本体７２の上に傾斜ベッド部２が設置され、傾斜ベッド部２の上に要介護者が横たわった状態となる。
【００８０】
なお、図２６に示すように、まず、防水マット６の上に、萎んだ状態の傾斜ベッド部２を配置して傾斜ベッド部２を空気の注入により膨張させておくようにしてもよい。そして、この状態の傾斜ベッド部２の上に、傾斜ベッド部２の全域と、ベッド７１のヘッドボード７３、フットボード４、及び両側のサイドレール７５のそれぞれの内周面及び上側周縁とに亘る範囲を覆うようにしてシート４を被せ、シート４の四方の端部を、ベッド７１のヘッドボード７３、フットボード４、及び両側のサイドレール７５に繋ぎ止める。このようにして、ベッド本体７２の上に傾斜ベッド部２を設置してもよい。この場合、傾斜ベッド部２及びシート４を当該状態とした後で、要介護者を傾斜ベッド部２及びシート４の上に移動させる。
【００８１】
上述のようにして、図２７に示すようにシート４により、傾斜ベッド部２の上側傾斜面と、ベッド７１のヘッドボード７３、フットボード４、及び両側のサイドレール７５のそれぞれの内周面及び上側周縁とに亘る範囲を少なくとも覆って、ベッド７１の上に流水槽を形成する。また、シート４の孔４ａに設けられた流入管５１０の管部５ｄにホース４２の一端を接続し、このホース４２の他端を排水用ポリタンク４３の内側に導いておく。なお、図２７には、要介護者が横たわっていない状態の傾斜ベッド部２及びシート４を示している。
【００８２】
図２８に示すように要介護者４１が傾斜ベッド部２の上層マット部１４の上に寝た状態で、シャワー４４を用いて、要介護者４１をシャワー浴させる。シャワー浴に使用した湯は、シート４上で上層マット部１４の傾斜面に沿って下方の溝１５へと流れ、更に、シート４の孔４ａに嵌められている流入管５１０からホース４２を介して排水用ポリタンク４３に導かれて溜められる。
【００８３】
このように応用例では、傾斜ベッド部２及びシート４などを既設のベッド７１に適用して、このベッド７１の上に流水槽を形成し、要介護者４１をシャワー浴させることができる。
＜本発明の更なる実施形態＞
図１８は、本発明の更なる実施形態にかかる介護用浴槽を示す斜視図である。また、図１９は、更なる実施形態に係る介護用浴槽を側面から見て示す断面図である。また、図２０（Ａ）（Ｂ）は、更なる実施形態に係る介護用浴槽における傾斜発泡マットを分解して示す斜視図及び組み立てて示す斜視図である。
【００８４】
更なる実施形態に係る介護用浴槽１Ａでは、図１乃至図６に示す介護用浴槽１における傾斜支持部１２、傾斜マット部１３、及び上層マット部１４の代わりに、傾斜発泡マット５１を用いている。なお、図１８乃至図２０において、図１乃至図６と同様の作用を果たす部位には同じ符号を付す。
【００８５】
介護用浴槽１Ａにおいて、ベースマット部１１は、その四辺が周壁部３の内周に接着されて接続されている。また、ベースマット部１１の１つの角に切り欠き１１ｂが形成され、この切り欠き１１ｂの部位に排水管５が配置されている。すなわち、排水管５は、傾斜発泡マット５１が傾斜している下側の位置となる周壁部３の部分に設けられている。
【００８６】
シート４は、ベースマット部１１の上面（傾斜発泡マット５１の底面）と周壁部３の内周面とを覆って、更に周壁部３の上側周縁までの範囲を少なくとも覆って、介護用浴槽１Ａの内側に流水槽を形成する。傾斜発泡マット５１は、その流水槽の内側にかつシート４の上に配置される。
【００８７】
傾斜発泡マット５１は、発泡合成樹脂を成形したものであり、１枚の傾斜下層部５２、及び横方向において左右に分割された２枚の傾斜上層部５３、５４からなる。傾斜下層部５２の上側面に、各傾斜上層部５３、５４が横方向において左右に並べて載せられる。傾斜下層部５２の上側面及び各傾斜上層部５３、５４の上側面が共に傾斜している。
【００８８】
周壁部３は、傾斜発泡マット５１の外縁部に設けられて、傾斜発泡マット５１の厚さ方向（図３における上下方向）に延びて傾斜発泡マット５１を四方から囲う。
【００８９】
また、傾斜発泡マット５１は、その傾斜方向下側の下端が周壁部３から離間している。傾斜発泡マット５１の下端と周壁部３との間に溝１５が形成されている。
【００９０】
シート４の孔４ａが溝１５の底におけるベースマット部１１の切り欠き部１１ｂに配置され、シート４の孔４ａに設置された流入管５１０が、ベースマット部１１の切り欠き部１１ｂの部位となる周壁部３の部分に配されている導出管５２０の孔５２１に差し込まれて、排水管５が組み立てられる。
【００９１】
図２１は、介護用浴槽１Ａの内側でシャワー浴されている要介護者を側方から見て示す図である。図２２は、介護用浴槽１Ａの内側でシャワー浴されている要介護者を背面から見て示す図である。
【００９２】
図２１及び図２２に示すようにシャワー４４を用いて、介護用浴槽１Ａの内側に位置する要介護者４１をシャワー浴させる。このシャワー浴の湯は、傾斜発泡マット５１の各傾斜上層部５３、５４の上側傾斜面に沿って下方の溝１５へと流れる。また、各傾斜上層部５３、５４の隙間から下方に流れ落ちた湯は、傾斜発泡マット５１の傾斜下層部５２の上側傾斜面に沿って下方の溝１５へと流れる。この溝１５には排水管５を設けているので、シャワー浴に使用した後の湯が、シート４の孔４ａに取り付けられた排水管５からホース４２（図１４に示す）を通じて排水用ポリタンク４３（図１４に示す）に導かれて溜められる。
【００９３】
図２３は、傾斜発泡マット５１における２枚の交換用の上層部６１、６２を示す分解斜視図である。背面から見て左側の交換用の上層部６１は、傾斜発泡マット５１の中央付近で縦長に形成されて、該中央付近から横方向に離れるほど低くなるように傾斜する横方向傾斜面６１ａと、この横方向傾斜面６１ａに沿って縦長に形成されて縦方向に傾斜している縦方向傾斜面６１ｂとを有している。同様に、背面から見て右側の交換用の上層部６２は、傾斜発泡マット５１の中央付近で縦長に形成されて、該中央付近から横方向に離れるほど低くなるように傾斜している横方向傾斜面６２ａと、この横方向傾斜面６２ａに沿って縦長に形成されて縦方向に傾斜している縦方向傾斜面６２ｂとを有している。
【００９４】
なお、横方向傾斜面６１ａ及び６２ａは、その長さ方向において、傾斜の最下部に近付くほど幅方向の長さが小さくなるようにすることが好ましい。これにより、まず洗浄が必要な背中部分を大きく傾け、次に洗浄する下半身は比較的少ない量で傾く。このため、要介護者の身体を一度に大きく側方に回転させることなく、まずは上半身の背中を傾け、その後に、下半身を介護者の手で更に傾けることが可能になり、要介護者の身体にかかる負担を減らすことができる。
【００９５】
例えば、図２４（Ａ）に示すように、左側の交換用の上層部６１を、図２２に示す左側の傾斜上層部５３と交換して設置した場合は、要介護者４１の身体の左片側が交換用の上層部６１の横方向傾斜面６１ａで受けられ、要介護者４１の身体が回転して、要介護者４１の右側の背中などが露呈し、この状態に保つことができ、要介護者４１の右側の背中などを洗うことが可能となる。
【００９６】
また、図２４（Ｂ）に示すように右側の上層部６２を図２２に示す右側の傾斜上層部５４と交換して設置した場合は、要介護者４１の身体の右片側が交換用の上層部６２の横方向傾斜面６２ａで受けられ、要介護者４１の身体が回転して、要介護者４１の左側の背中などが露呈し、この状態に保つことができ、要介護者４１の左側の背中などを洗うことが可能となる。
【００９７】
本発明は上記実施の形態の構成に限られず種々の変形が可能である。また、図１乃至図２８を用いて説明した上記実施形態の構成は、本発明の一例に過ぎず、本発明を当該構成に限定する趣旨ではない。
【符号の説明】
【００９８】
１      介護用浴槽
２      傾斜ベッド部
３      周壁部
４      シート
５      排水管
６      防水マット
１１    ベースマット部
１２    傾斜支持部
１３    傾斜マット部
１４    上層マット部
１５    溝
１Ａ    介護用浴槽
５１    傾斜発泡マット
【要約】
【課題】使用後の湯を速やかに流して排水して要介護者を簡単かつ清潔にシャワー浴可能にする。
【解決手段】介護用浴槽１は、要介護者の身体全体を傾斜させて支持し、空気の注入により膨張して形成される中空の傾斜ベッド部２と、傾斜ベッド部２の外周に沿って設けられて、空気の注入により膨張して形成される中空の周壁部３と、傾斜ベッド部２の上側傾斜面から周壁部３の内周面を経て該周壁部３の上側周縁までの範囲を少なくとも覆って流水槽を形成するシート４と、傾斜ベッド部２の上側傾斜面の下方の部位で、シート４の孔４ａから周壁部３を通じて外側へと導かれる排水管５とを備えている。
【選択図】図１【図１】
0006890869.tif 000002
【図２】
0006890869.tif 000003
【図３】
0006890869.tif 000004
【図４】
0006890869.tif 000005
【図５】
0006890869.tif 000006
【図６】
0006890869.tif 000007
【図７】
0006890869.tif 000008
【図８】
0006890869.tif 000009
【図９】
0006890869.tif 000010
【図１０】
0006890869.tif 000011
【図１１】
0006890869.tif 000012
【図１２】
0006890869.tif 000013
【図１３】
0006890869.tif 000014
【図１４】
0006890869.tif 000015
【図１５】
0006890869.tif 000016
【図１６】
0006890869.tif 000017
【図１７】
0006890869.tif 000018
【図１８】
0006890869.tif 000019
【図１９】
0006890869.tif 000020
【図２０】
0006890869.tif 000021
【図２１】
0006890869.tif 000022
【図２２】
0006890869.tif 000023
【図２３】
0006890869.tif 000024
【図２４】
0006890869.tif 000025
【図２５】
0006890869.tif 000026
【図２６】
0006890869.tif 000027
【図２７】
0006890869.tif 000028
【図２８】
0006890869.tif 000029